(57)【特許請求の範囲】
【請求項１】
浴槽に接続される追焚循環回路と、この追焚循環回路に設けられたポンプ、加熱部および浴槽湯温を検出する湯温センサと、追焚スイッチと、演算制御部とを備えた風呂装置において、
上記演算制御部は、上記追焚スイッチのオンに応答して、低温やけどを防止するために設定された追焚許可条件を満たすか否かを判断し、
ａ．上記追焚許可条件を満たす場合には、ポンプを駆動させ上記浴槽の湯を上記追焚循環回路を介して循環させるとともに、上記加熱部からの熱を供給することにより、浴槽湯温が目標湯温上昇分だけ上昇するように追焚を実行し、
ｂ．上記追焚許可条件を満たさない場合には、上記追焚スイッチのオンにも拘わらず上記追焚を実行せず、
さらに、自動運転スイッチを備え、
上記演算制御部は、上記自動運転スイッチのオンに応答して自動運転モードを実行し、この自動運転モードでは、一定時間間隔毎に追焚タイミングを設定し、この追焚タイミングで、上記ポンプを駆動させて浴槽の湯を上記追焚循環回路を介して循環させるとともに上記加熱部からの熱を供給することにより、上記浴槽湯温が設定温度になるように追焚を実行し、
上記追焚許可条件は、上記設定温度が高いほど厳しくなるように設定されていることを特徴とする風呂装置。
【請求項２】
浴槽に接続される追焚循環回路と、この追焚循環回路に設けられたポンプ、加熱部および浴槽湯温を検出する湯温センサと、追焚スイッチと、演算制御部とを備えた風呂装置において、
上記演算制御部は、上記追焚スイッチのオンに応答して、低温やけどを防止するために設定された追焚許可条件を満たすか否かを判断し、
ａ．上記追焚許可条件を満たす場合には、ポンプを駆動させ上記浴槽の湯を上記追焚循環回路を介して循環させるとともに、上記加熱部からの熱を供給することにより、浴槽湯温が目標湯温上昇分だけ上昇するように追焚を実行し、
ｂ．上記追焚許可条件を満たさない場合には、上記追焚スイッチのオンにも拘わらず上記追焚を実行せず、
さらに、自動運転スイッチを備え、
上記演算制御部は、上記自動運転スイッチのオンに応答して自動運転モードを実行し、この自動運転モードでは、一定時間間隔毎に追焚タイミングを設定し、この追焚タイミングで、上記ポンプを駆動させて浴槽の湯を上記追焚循環回路を介して循環させるとともに上記加熱部からの熱を供給することにより、上記浴槽湯温が設定温度になるように追焚を実行し、
上記追焚許可条件には、上記設定温度の上限が設定されており、
上記演算制御部は、上記設定温度が上限を超えている場合には、上記追焚許可条件を満たさないと判断して追焚を実行しないことを特徴とする風呂装置。
【請求項３】
浴槽に接続される追焚循環回路と、この追焚循環回路に設けられたポンプ、加熱部および浴槽湯温を検出する湯温センサと、追焚スイッチと、演算制御部とを備えた風呂装置において、
上記演算制御部は、上記追焚スイッチのオンに応答して、低温やけどを防止するために設定された追焚許可条件を満たすか否かを判断し、
ａ．上記追焚許可条件を満たす場合には、ポンプを駆動させ上記浴槽の湯を上記追焚循環回路を介して循環させるとともに、上記加熱部からの熱を供給することにより、浴槽湯温が目標湯温上昇分だけ上昇するように追焚を実行し、
ｂ．上記追焚許可条件を満たさない場合には、上記追焚スイッチのオンにも拘わらず上記追焚を実行せず、
上記追焚許可条件は、追焚終了時点の浴槽湯温が高いほど厳しくなるように設定されており、
上記演算制御部は、上記追焚終了時点に上記湯温センサで検出される浴槽湯温に応じて、上記追焚許可条件を満足するか否かを判断することを特徴とする風呂装置。
【請求項４】
浴槽に接続される追焚循環回路と、この追焚循環回路に設けられたポンプ、加熱部および浴槽湯温を検出する湯温センサと、追焚スイッチと、演算制御部とを備えた風呂装置において、
上記演算制御部は、上記追焚スイッチのオンに応答して、低温やけどを防止するために設定された追焚許可条件を満たすか否かを判断し、
ａ．上記追焚許可条件を満たす場合には、ポンプを駆動させ上記浴槽の湯を上記追焚循環回路を介して循環させるとともに、上記加熱部からの熱を供給することにより、浴槽湯温が目標湯温上昇分だけ上昇するように追焚を実行し、
ｂ．上記追焚許可条件を満たさない場合には、上記追焚スイッチのオンにも拘わらず上記追焚を実行せず、
上記追焚許可条件には、追焚終了時点の浴槽湯温の上限が設定されており、
上記演算制御部は、上記追焚終了時点に上記湯温センサで検出される浴槽湯温に応じて、上記追焚許可条件を満足するか否かを判断することを特徴とする記載の風呂装置。
【請求項５】
浴槽に接続される追焚循環回路と、この追焚循環回路に設けられたポンプ、加熱部および浴槽湯温を検出する湯温センサと、追焚スイッチと、演算制御部とを備えた風呂装置において、
上記演算制御部は、上記追焚スイッチのオンに応答して、低温やけどを防止するために設定された追焚許可条件を満たすか否かを判断し、
ａ．上記追焚許可条件を満たす場合には、ポンプを駆動させ上記浴槽の湯を上記追焚循環回路を介して循環させるとともに、上記加熱部からの熱を供給することにより、浴槽湯温が目標湯温上昇分だけ上昇するように追焚を実行し、
ｂ．上記追焚許可条件を満たさない場合には、上記追焚スイッチのオンにも拘わらず上記追焚を実行せず、
上記追焚循環回路には浴槽水位を検出する水位センサが設けられ、
上記追焚許可条件は、入浴者の体積が小さいほど厳しくなるように設定されており、
上記演算制御部は、入浴する際の上記水位センサによる検出水位の上昇値に基づいて入浴者の湯に漬かっている体積を演算し、この演算された体積に応じて上記追焚許可条件を満足するか否かを判断することを特徴とする風呂装置。
【請求項６】
浴槽に接続される追焚循環回路と、この追焚循環回路に設けられたポンプ、加熱部および浴槽湯温を検出する湯温センサと、追焚スイッチと、演算制御部とを備えた風呂装置において、
上記演算制御部は、上記追焚スイッチのオンに応答して、低温やけどを防止するために設定された追焚許可条件を満たすか否かを判断し、
ａ．上記追焚許可条件を満たす場合には、ポンプを駆動させ上記浴槽の湯を上記追焚循環回路を介して循環させるとともに、上記加熱部からの熱を供給することにより、浴槽湯温が目標湯温上昇分だけ上昇するように追焚を実行し、
ｂ．上記追焚許可条件を満たさない場合には、上記追焚スイッチのオンにも拘わらず上記追焚を実行せず、
上記追焚循環回路には浴槽水位を検出する水位センサが設けられ、
上記追焚許可条件は、浴槽水位の変動が大きいほど厳しくなるように設定されており、
上記演算制御部は、上記水位センサの水位に基づいて浴槽水位の変動の大きさを演算し、この水位変動の大きさに応じて、上記追焚許可条件を満足するか否かを判断することを特徴とする風呂装置。
【発明の詳細な説明】
【技術分野】
【０００１】
本発明は、入浴者が追焚の繰り返しにより低温やけどを負うのを防止できる風呂装置に関する。
【背景技術】
【０００２】
特許文献１は、最近の住宅に装備されている一般的な風呂・給湯装置を開示している。この装置は、浴槽に接続された追焚循環回路と、この追焚循環回路に注湯管を介して接続された給湯回路を備えている。
【０００３】
上記風呂・給湯装置では、自動運転スイッチがオンされた時に、自動運転モードを実行する。すなわち、給湯回路で熱を付与された湯を注湯管および追焚循環回路を介して浴槽へ送り、浴槽内の湯の温度および水位を、設定水位、設定温度にする（湯張り）。その後は、一定時間間隔で浴槽の水位と湯温を監視し、水位が設定水位より低下している時には、注湯（足し湯）を行い、湯温が設定温度より低下している時には追焚を行い、水位、湯温をそれぞれ設定水位、設定温度に維持する。追焚は、追焚循環回路のポンプを駆動して浴槽の湯を循環させるとともに、熱を付与することにより実行する。
【０００４】
特許文献１の装置は追焚スイッチも装備している。この追焚スイッチをオンすると、これに応答して、目標温度上昇分例えば１℃だけ浴槽湯温が上昇するように追焚を実行する。
【０００５】
近年、低温やけどに対する関心が高まっている。非特許文献１は、豚の皮膚に局所的に熱源を当てた時に生じる低温やけどの研究について記述している。この研究では、低温でも時間の経過に伴いやけどが生じること、温度が１℃低下するとやけどに至る時間が２倍になること（温度が１℃上昇するとやけどに至る時間が半減すること）を明らかにしている。
また、上記非特許文献１の研究に基づき、大阪ガスから給湯時のやけどを防止するための「性能評価技術基準」が提示されている。
【先行技術文献】
【特許文献】
【０００６】
【特許文献１】特開平１１−３０４２４８号公報
【非特許文献】
【０００７】
【非特許文献１】「Studies of thermal injury II.The relative importance of time and surface temperature in the causation of cutaneous burns」Am J Pathol 1947;23:695-720.  Moritz AR, Henriques FC.
【発明の概要】
【発明が解決しようとする課題】
【０００８】
入浴時の低温やけど防止について、今まで提案がなかった。特許文献１に開示されている一般的な風呂装置は、設定温度の上限を４８℃にするだけで、低温やけどを防止するための特別の機能はなく、入浴者の自己管理に委ねられている。
【０００９】
しかし、糖尿病患者は、皮膚の神経が傷んでおり、湯温を低く感じる傾向がある。そのため、浴槽湯温が上昇しているにも拘わらず、当人は、浴槽湯温が設定温度より低いと勘違いして設定温度に戻すべく追焚スイッチを繰り返しオンする傾向がある。その結果、浴槽湯温が段階的に上昇し想定以上の温度になってしまうこともあり、低温やけどの可能性生じる。
また、子供の場合、興味本位に追焚スイッチのオン操作を繰り返しこともあるので、同様に浴槽湯温の上昇を招くことがある。
【００１０】
非特許文献１の研究は、入浴時の低温やけどを防止することを意図したものではないし、低温やけどの対象は、人間よりはるかに皮膚の厚い豚の皮膚に関するものである。また、皮膚の狭い領域（直径１インチ＝直径約25ｍｍ）に熱源を当てた時のデータであり、皮膚の広い領域が湯に接する入浴に適用することはできない。
また、大阪ガスの「性能評価技術基準」は、給湯の際の低温やけどに適用しようとするものであり、入浴時の低温やけどを防止することを意図したものではない。しかも、この基準は、豚の皮膚に関する非特許文献１の研究データを念頭におき、これより高温温熱熱傷方向については安全サイドに設定しているものの、皮膚の広い領域が湯に接する入浴時の低温温熱熱傷である低温やけどに適用することはできない。
【課題を解決するための手段】
【００１１】
本発明は上記課題を解決するためになされたもので、浴槽に接続される追焚循環回路と、この追焚循環回路に設けられたポンプ、加熱部および浴槽湯温を検出する湯温センサと、追焚スイッチと、演算制御部とを備えた風呂装置において、
上記演算制御部は、上記追焚スイッチのオンに応答して、低温やけどを防止するために設定された追焚許可条件を満たすか否かを判断し、
ａ．上記追焚許可条件を満たす場合には、ポンプを駆動させ上記浴槽の湯を上記追焚循環回路を介して循環させるとともに、上記加熱部からの熱を供給することにより、浴槽湯温が目標湯温上昇分だけ上昇するように追焚を実行し、
ｂ．上記追焚許可条件を満たさない場合には、上記追焚スイッチのオンにも拘わらず上記追焚を実行しないことを特徴とする。
【００１２】
好ましくは、上記演算制御部は、タイマからの経過時間情報に基づいて上記追焚許可条件を満たすか否かを判断する。
その一態様は、上記追焚許可条件として、所定時間間隔毎の追焚可能回数が設定されており、上記演算制御部は、上記所定時間毎に追焚の履歴をクリアし、追焚スイッチオン時に、この追焚スイッチオンに応答した追焚が上記追焚可能回数以下の場合には、上記追焚許可条件を満たすと判断して追焚を実行し、上記追焚可能回数を超えている場合には、上記追焚許可条件を満たさないと判断して追焚を実行しない。
他の態様は、上記追焚許可条件として、前回の追焚終了時点からの経過時間の下限時間が設定されており、上記演算制御部は、前回の追焚終了時点から追焚スイッチオンまでの経過時間が上記下限時間以上である場合には、上記追焚許可条件を満たすと判断して追焚を実行し、上記下限時間未満の場合には、上記追焚許可条件を満たさないと判断して追焚を実行しない。
【００１３】
好ましくは、さらに、自動運転スイッチを備え、上記演算制御部は、上記自動運転スイッチのオンに応答して自動運転モードを実行し、この自動運転モードでは、一定時間間隔毎に追焚タイミングを設定し、この追焚タイミングで、上記ポンプを駆動させて浴槽の湯を上記追焚循環回路を介して循環させるとともに上記加熱部からの熱を供給することにより、上記浴槽湯温が設定温度になるように追焚を実行し、上記追焚許可条件は、上記設定温度が高いほど厳しくなるように設定されている。
【００１４】
好ましくは、さらに、自動運転スイッチを備え、上記演算制御部は、上記自動運転スイッチのオンに応答して自動運転モードを実行し、この自動運転モードでは、一定時間間隔毎に追焚タイミングを設定し、この追焚タイミングで、上記ポンプを駆動させて浴槽の湯を上記追焚循環回路を介して循環させるとともに上記加熱部からの熱を供給することにより、上記浴槽湯温が設定温度になるように追焚を実行し、上記追焚許可条件には、上記設定温度の上限が設定されており、上記演算制御部は、上記設定温度が上限を超えている場合には、上記追焚許可条件を満たさないと判断して追焚を実行しない。
【００１５】
好ましくは、上記追焚許可条件は、追焚終了時点の浴槽湯温が高いほど厳しくなるように設定されており、上記演算制御部は、上記追焚終了時点に上記湯温センサで検出される浴槽湯温に応じて、上記追焚許可条件を満足するか否かを判断する。
【００１６】
好ましくは、上記追焚許可条件には、追焚終了時点の浴槽湯温の上限が設定されており、上記演算制御部は、上記追焚終了時点に上記湯温センサで検出される浴槽湯温に応じて、上記追焚許可条件を満足するか否かを判断する。
【００１７】
好ましくは、さらに環境温度センサを備え、上記追焚許可条件は環境温度が高くなるほど厳しくなるように設定されており、上記演算制御部は、上記環境温度センサで検出される環境温度に応じて、上記追焚許可条件を満足するか否かを判断する。
【００１８】
好ましくは、上記追焚循環回路には浴槽水位を検出する水位センサが設けられ、上記追焚許可条件は、入浴者の体積が小さいほど厳しくなるように設定されており、上記演算制御部は、入浴する際の上記水位センサによる検出水位の上昇値に基づいて入浴者の湯に漬かっている体積を演算し、この演算された体積に応じて上記追焚許可条件を満足するか否かを判断する。
【００１９】
好ましくは、上記追焚循環回路には浴槽水位を検出する水位センサが設けられ、上記追焚許可条件は、浴槽水位の変動が大きいほど厳しくなるように設定されており、上記演算制御部は、上記水位センサの水位に基づいて浴槽水位の変動の大きさを演算し、この水位変動の大きさに応じて、上記追焚許可条件を満足するか否かを判断する。
【００２０】
好ましくは、さらに、ジャグジー部またはマイクロバルブ発生部を備え、上記追焚許可条件は、上記ジャグジー部またはマイクロバルブ発生部が運転されている時には厳しくなるように設定されており、上記演算制御部は、上記ジャグジー部またはマイクロバルブ発生部の運転情報に応じて上記追焚許可条件を満足するか否かを判断する。
【００２１】
好ましくは、さらに、追焚循環回路に設けられた導電度センサを備え、上記追焚許可条件は、浴槽湯の導電度が大になるほど厳しくなるように設定されており、上記演算制御部は、上記導電度センサからの導電度情報に応じて上記追焚許可条件を満足するか否かを判断する。
【００２２】
好ましくは、さらに報知手段を備え、上記演算制御部は、上記追焚スイッチオンにも拘わらず追焚を実行しない時には、報知手段による報知を実行する。
【発明の効果】
【００２３】
本発明によれば、追焚スイッチオンによる追焚の繰り返しを制限し、ひいては浴槽湯温の上昇を制限することにより、低温やけどが生じるのを防止できる。
【図面の簡単な説明】
【００２４】
【図１】本発明の一実施形態をなす風呂・給湯装置の回路構成図である。
【図２】上記風呂・給湯装置における自動運転モードでの浴槽湯温の経時変化と、追焚スイッチオン操作による浴槽湯温の経時変化を示す図である。
【図３】浴槽湯温と低温やけどが生じる入浴時間との関係を表す線Ａと、浴槽湯温と深部温を感受する（ほてりやのぼせを感じる）までの時間との関係を表す線Ｂとを示すグラフである。
【発明を実施するための形態】
【００２５】
以下、本発明の一実施形態について図面参照しながら説明する。図１に示すように風呂・給湯装置は、構成の一部を共有する風呂装置Ａと給湯装置Ｂを備えている。詳述すると、缶体（図示せず）の下部には給湯，追焚兼用のガスバーナ１が配置され、缶体の上部には給湯，追焚兼用の熱交換部２（加熱部）が配置され、缶体の底部にはガスバーナ１に燃焼空気を供給するためのファン（図示せず）が配置されている。
上記ガスバーナ１にガスを供給する手段は、ガス管３と、このガス管３に設けられた電磁開閉弁４および電磁比例弁５とを有している。熱交換部２には、給湯装置Ｂの給湯回路１０と風呂装置Ａの追焚循環回路２０が通っている。
【００２６】
上記給湯回路１０は、上記熱交換部２を通る受熱管１１と、この受熱管１１の入口端に接続された給水管１２と、出口端に接続された給湯管１３とを有している。給湯管１３の末端には給湯栓１４が設けられている。実際には、給湯管１３は、浴室と台所等に複数に分岐され、これら分岐路の末端に給湯栓やシャワーが設けられているが、図を簡略化するため分岐路を省略し、複数の給湯栓やシャワーを１つの給湯栓１４で示している。給水管１２には給水温度センサ１５と、フローセンサ１６が設けられ、給湯管１３には出湯温度センサ１７と流量制御弁１８が設けられている。給水管１２と給湯管１３との間には、バイパス管１９が受熱管１１と並列に接続されている。
【００２７】
上記追焚循環回路２０は、熱交換部２を貫通する受熱管２１と、その入口端と浴槽６の循環金具６ａとの間に接続された復路管２２と、受熱管２１の出口端と循環金具６ａとの間に接続された往路管２３とを備えている。復路管２２には、ポンプ２４、水流スイッチ２５，湯温センサ２６が設けられている。
【００２８】
上記給湯回路１０の給湯管１３と追焚循環回路２０の復路管２２との間には、浴槽６への注湯のための注湯管３１が設けられている。注湯管３１には、電磁開閉弁からなる注湯弁３２が設けられている。
上記注湯弁３２の下流側には圧力センサからなる水位センサ３３が設けられている。この水位センサ３３は、後述するように、入浴、出浴の検出のみならず、入浴者の湯につかる体積の演算等にも用いられる。
【００２９】
上記風呂・給湯装置は、さらに、制御ユニット５０と、浴室に設けられたリモートコントローラ６０（以下、浴室リモコンと称す）と、台所に設けられたリモートコントローラ７０（以下、台所リモコンと称す）とを備えている。
【００３０】
上記浴室リモコン６０は、従来のものと同様に、リモコン運転スイッチ６０ａ，自動運転モードを実行するための自動運転スイッチ６１、追焚を実行するための追焚スイッチ６２，給湯温度設定部６３，浴槽湯温設定部６４，浴槽水位設定部６５、音声報知部６６（報知手段），表示部６７を有している。
上記台所リモコン７０は、従来のものと同様に、リモコン運転スイッチ７０ａ，給湯温度設定部７３、音声報知部７６（報知手段），表示部７７を有している。
【００３１】
上記制御ユニット５０は、ＣＰＵを含む演算制御部５１と、メモリ５２，タイマ５３，駆動回路，インターフェイス等を内蔵している。演算制御部５１は、上述した種々の検出手段、すなわち温度センサ１５，１７，２６，フローセンサ１６，水流スイッチ２５、水位センサ３３と、リモコン６０，７０等からの情報、メモリ５２、タイマ５３からの情報に基づいて、点火機構，ファン，開閉弁４，比例弁５，流量制御弁ＧＭ，ポンプ２４，注湯弁３２，リモコン６０，７０の音声報知部６５，７５，表示部６６，７６を制御する。  上記演算制御部５１は、後述の制御説明から明らかなように、入浴判断手段、自動モード実行手段、追焚実行手段、低温やけど防止のための追焚制限手段、体積演算手段等を、実質的に含んでいる。
【００３２】
上記構成をなす装置における給湯制御について簡単に説明する。ユーザーが給湯栓１４を開くと、フローセンサ１６が所定量以上の水流を検出する。演算制御部５１はこの水流検出に応答して、点火機構およびファンを作動させる。これと同時期に、開閉弁４を開き、ガスをガスバーナ１に供給して燃焼を開始する。給水管１２からの水は受熱管１１を通る過程で燃焼熱を受けて湯となり、給湯管１３を経て給湯栓１４から吐出される。この際、演算制御部５１は、給湯温度が給湯温度設定部６３または７３で設定された温度になるように、比例弁５や流量制御弁１８を制御する。
【００３３】
ユーザーにより自動運転スイッチ６１がオンされた時には、演算制御部５１は自動運転モードを実行する。この自動運転モードでは、最初に注湯（湯張り）を行う。すなわち、給湯時と同様にガスバーナ１を燃焼させるとともに、注湯弁３２を開いて、給湯回路１０からの湯を注湯管３１、追焚循環回路２０を経て浴槽６に供給する。この際、浴室リモコン６０のふろ温度設定部６４で設定した温度となるように、出湯温度センサ１７の検出温度のフィードバック信号に基づいて比例弁５を制御する。上記メモリ５２に記憶された注湯流量と浴槽水位の関係が記憶されており、フローセンサ１６の積算流量がリモコンで設定された設定水位に対応する注湯流量になったら、注湯を終了する。その結果、浴槽６には、浴室リモコン６０で設定されたふろ設定温度の湯が設定水位まで満たされることになる。
【００３４】
上記湯張り後に、自動注湯，自動保温を行う。以下、詳述する。
水位センサ３３で検出される浴槽水位が設定水位より下がったら、上記注湯と同様にして浴槽６に湯を注ぎ込み、設定水位にする（ 自動注湯）。
【００３５】
図２において実線Ｑで示すように、一定時間（例えば３０分）間隔で追焚タイミング（図２において符号ｔｘで示す）が設定されている。この追焚タイミングｔｘでポンプ２４を駆動し、浴槽６内の湯を追焚循環回路２０経由で循環させ、ポンプ２４の駆動開始から所定時間（例えば約３０秒）経過時点で湯温センサ２６により浴槽湯温を検出する。検出湯温が設定湯温より低い場合（例えば０．５℃以上低い場合）には、ガスバーナ１を燃焼させて追焚を行い、この浴槽湯温をふろ設定温度まで上昇させる（ 自動保温） 。追焚終了時点を符号ｔｘ’で示す。なお、検出湯温と設定温度の差が０．５℃未満の場合には、追焚を行わずにポンプ２４を停止する。
【００３６】
演算制御部５１は、自動保温モードであっても、ユーザーにより追焚スイッチ６２がオンされた時（手動による追焚指示があった時）には、このオン時を追焚タイミングとする（図２において全て同符号ｔｙで示す）。この追焚タイミングｔｙでは、ポンプ２４を駆動させるとほぼ同時に（すなわち湯温検出のためのポンプ駆動時間を待たずに）、ガスバーナ１を燃焼させ、浴槽湯温を追焚前の温度から目標温度上昇分例えば１℃上昇させる。具体的には、ポンプ２４の駆動と同時に演算制御部５１は湯温センサ２６からの検出温度を監視する。初期には追焚循環回路２０の配管内の水の温度が検出されるが、約３０秒後には、追焚による温度上昇が反映される前の浴槽湯温（すなわち追焚前の浴槽湯温）が検出される。さらに数十秒経過すると、追焚による温度上昇を伴った浴槽湯温が検出される。演算制御部５１は、この浴槽湯温が追焚前の浴槽湯温から１℃上昇した時点で追焚を終了する。追焚終了時点を図２において符号ｔｙ’で示す。
【００３７】
なお、追焚スイッチ６２のオン時に、ポンプ２４による湯の循環を待たずにオンに応答して即座に追焚を行うのは次の理由による。入浴者は浴槽湯温が低いと感じて追焚スイッチ６２をオンするのであり、追焚をせずにポンプ２４を駆動して湯を循環させたのでは、湯温をさらに低下させてしまい（追焚循環回路２０の水が入り込むため）、入浴者を不快にさせるからである。
【００３８】
上記手動操作に基づく追焚では、上記のように検出湯温のフィードバック情報を用いず、所定時間、所定燃焼熱量の追焚を実行してもよい。この燃焼熱量は満水時の浴槽の湯を約１℃上昇させるように設定する。この場合でも、追焚終了時点ｔｙ’で湯温センサ２６により浴槽湯温を検出するのが好ましい。
【００３９】
その後、浴槽湯温が放熱により設定温度まで下がり切らないうちに短時間間隔で追焚スイッチ６２をオンし、追焚を実行すると、図２の破線Ｓで示すように浴槽湯温は段階的に上昇する。
参考までに、１回目の追焚スイッチ６２オンに応答して浴槽湯温を１℃上昇させた後に放置した場合には、図２の一点鎖線Ｒで示すように浴槽湯温は放熱により徐々に低下する。
【００４０】
前述したように、糖尿病患者は、皮膚の神経が傷んでいるため浴槽湯温を低く感じ（皮膚にあり、外気温、湯温等の変化を感受する温点、冷点等の温度受容器自体が傷み、又は、温点、冷点の情報伝達がうまくできず）、追焚スイッチ６２を繰り返しオンする傾向がある。その結果、図２の破線Ｓで示すように、浴槽湯温が段階的に上昇して想定以上の温度に達し、低温やけどのリスクが高まる。子供の場合には、興味本位に追焚スイッチ６２のオン操作を繰り返しこともあるので、同様に浴槽湯温の上昇を招くことがある。
【００４１】
入浴は皮膚の広い領域が湯に接する。この結果、人が浴槽６に入った時（入浴時）には、浴槽６の湯と人との間で熱交換が生じ、多量の熱が人体に入る。そして体温（血液温度、深部温）が上昇し、この温度上昇は、視床下部血管壁（他に中脳・延髄・脊髄・腹腔壁・腹部内臓・大血管等）にある温度受容器（核心温度センサ）で感知し、視床下部体温調節中枢で熱さを感じる。具体的には「ほてり」や「のぼせ」を感じる。この「ほてり」や「のぼせ」は、時間経過とともに強く感じ、温度が高くなるほど強く感じる。やがて、気分が悪くなったり呼吸が荒くなり、入浴継続が不可能になる（強く出浴したいと感じる）。
【００４２】
健康人であれば、上記のような強い「ほてり」や「のぼせ」が生じる前に、皮膚の温度受容器の感覚により低温やけどのリスクを感じて出浴できるが、糖尿病患者等は皮膚の温度受容器が傷んでいるので低温やけどのリスクを感じることができず、上記のような強い「ほてり」や「のぼせ」が生じるまで入浴を継続してしまう。
図３に示すように、温度が高いと（具体的には４６℃より高いと）、低温やけどが生じる時間（線Ａ参照）は、強い「ほてり」や「のぼせ」を感じる時間（線Ｂ参照）より短い。そのため、糖尿病患者の入浴には低温やけどのリスクが生じる場合がある。上記のように追焚スイッチ６２のオン操作の繰り返しによる浴槽湯温の上昇を伴えば、低温やけどのリスクが高まる。
【００４３】
そこで、本実施形態では、予めメモリ５２に追焚許可条件を設定しておき、演算制御部５１では追焚許可条件を満たす場合にのみ、追焚スイッチ６２のオンに応答して上記追焚を実行し、追焚許可条件を満たさない場合には、追焚スイッチ６２がオンされていても追焚を実行しない（具体的には、オン信号の受取を拒否する、またはオン信号を受け取っても追焚実行を禁じる）。このことによって、皮膚の温度受容器で湯温温度を正確に感じ取れない糖尿病患者であっても、追焚許可条件を設けることで、追焚の繰り返しによる浴槽湯温上昇に伴う低温やけどを防止する。
【００４４】
以下、種々の追焚許可条件による追焚制限の実施形態について詳述する。なお、以下に示す追焚制限は、入浴中の場合だけ実行してもよいし、入浴の有無とは無関係に実行してもよい。入浴中だけ実行する場合には、予め、水位センサ３３による浴槽６の水位を読み込み、所定量を越えた水位の上昇があったか否か、すなわち人が浴槽６に入ったかどうかを判断し、肯定判断した場合に追焚制限を実行する。
【００４５】
追焚制限の第１実施形態（所定時間間隔毎の追焚回数の制限）
本実施形態の追焚許可条件では、所定時間（例えば１０分）間隔毎の追焚可能回数が所定回数（例えば２回）に設定されている。
演算制御部５１は、タイマ５３で計測される経過時間を監視し、１０分経過した時点で追焚の履歴をクリアする。このようにして１０分間の時間間隔で追焚スイッチ６２からのオン信号を待つ。１０分間の間に１回目または２回目のオン信号を受けた時には、追焚許可条件を満足すると判断し、追焚を実行する。１０分間の間に３回目のオン信号を受けた時には、追焚許可条件を満足しないと判断し、追焚を実行しない。
すなわち、糖尿病患者は病院で、低温火傷について十分な説明を受けている。従って低温火傷に対して十分マージンを見込んだ温度の湯温に入浴するが、皮膚の温度受容器で湯温温度を感じることが出来ないので、つい思わず追焚を行う。視床下部血管壁等にある温度受容器で湯温を感受するまでの間の追焚回数を制限することで、低温火傷が防止できる。
【００４６】
追焚制限の第２実施形態（前回の追焚終了時点からの経過時間による制限）
本実施形態の追焚許可条件では、前回の追焚終了時点からの経過時間の下限時間（例えば８分）が設定されている。
演算制御部５１は、前回の追焚終了時点からタイマ５３で計測される経過時間を監視し、追焚スイッチ６２からのオン信号を待つ。８分以上経過してからオン信号を受けた時には、追焚許可条件を満足すると判断し、追焚を実行する。８分未満でオン信号を受けた時には、追焚許可条件を満足しないと判断し、追焚を実行しない。
【００４７】
追焚制限の第３実施形態（設定温度に応じた追焚許可条件の設定）
本実施形態の追焚許可条件は、設定温度が高いほど厳しくなるように設定される。設定温度が高いほど浴槽温度が高くなるため低温やけどのリスクが高まることを考慮したものである。以下、追焚許可条件の基本態様に分けて説明する。
（１）第１実施形態と同様に、追焚許可条件として所定時間（例えば１０分）間隔毎の追焚可能回数を設定している場合には、設定温度が高いほど追焚可能回数が少なくなるように設定する。具体的には下記の通りである。
４２℃設定ならば２回
４３℃設定ならば２回
４４℃設定ならば１回
４５℃設定ならば１回
４６℃設定ならば０回（すなわち、追焚を実行しない）
上記のようにして、浴槽湯温が所定時間の１０分以内に追焚スイッチオンにより追焚しても浴槽湯温が４６℃を超えないようにしている。すなわち、図３における低温やけどユーザー回避行動不可領域を回避する。これにより、深部温感受に伴うほてりやのぼせによって出浴を促される前に低温やけどが生じるのを防止することができる。
４６℃未満であれば深部温感受によりほてりやのぼせを感じるまでの時間は低温やけどが生じる時間より短いので、このほてりやのぼせにより出浴を促されるため、低温やけどを回避できる。
なお、外気温や浴室温度が低かったり浴槽に水を足す等により浴槽温度が想定以上に低下することもある。そのため、所定時間（１０分）毎に追焚回数をクリアにして追焚スイッチオンによる追焚を許容するのである。なお、上記ほてりやのぼせに伴う出浴により低温やけどの回避が見込まれるので、この所定時間は、４６℃で低温やけどが生じる入浴時間より長くしてもよい。
（２）第１実施形態と同様に、追焚許可条件として所定時間（例えば１０分）間隔毎の追焚可能回数を設定している場合において、設定温度の上限だけを設定してもよい。この場合、設定温度が上限以下の場合には追焚可能回数を一定回数とし、上限温度を超える場合には追焚可能回数を０回にする。
（３）第２実施形態と同様に、追焚許可条件として前回の追焚終了時点からの経過時間の下限を設定している場合には、設定温度が高いほど下限の時間が短くなるように設定する。
【００４８】
追焚制限の第４実施形態（追焚終了時点の浴槽温度に応じた追焚許可条件の設定）
本実施形態では、第３実施形態における設定温度の代わりに追焚終了時点の浴槽湯温を用いる。追焚許可条件は、この追焚終了時点の浴槽湯温が高いほど厳しくなるように設定される。
浴槽湯温は、ポンプ２４の駆動により浴槽６の湯が循環回路２０を循環し、湯温センサ２６に達しなければ正確に検出できないため、追焚終了時点の浴槽湯温は、実際の浴槽湯温を正確に表していないが実際の浴槽湯温に近い。そこで、この追焚終了時点の浴槽湯温に応じて追焚許可条件を設定するのである。
【００４９】
以下、追焚許可条件の基本態様に分けて説明する。
（１）第１実施形態と同様に、追焚許可条件として所定時間（例えば１０分）間隔毎の追焚可能回数を設定している場合には、追焚終了時点の浴槽湯温が高いほど追焚可能回数が少なくなるように設定する。具体的には下記の通りである。
４２℃ならば２回
４３℃ならば２回
４４℃ならば１回
４５℃ならば１回
４６℃ならば０回
（２）第１実施形態と同様に、追焚許可条件として所定時間（例えば１０分）間隔毎の追焚可能回数を設定している場合において、追焚終了時点の浴槽湯温の上限だけを設定してもよい。この場合、追焚終了時点の浴槽湯温が上限以下の場合には追焚可能回数を一定回数とし、上限温度を超える場合には追焚可能回数を０回にする。
（３）第２実施形態と同様に、追焚許可条件として前回の追焚終了時点からの経過時間の下限を設定している場合には、追焚終了時点の浴槽湯温が高いほど上記下限の時間が短くなるように設定する。
【００５０】
本実施形態では、演算制御部５１は、追焚終了時点での湯温センサ２６による検出湯温に応じて上記追焚許可条件を満足するか否かを判断するが、この追焚終了時点の検出湯温として、追焚スイッチ６２のオンに応答した追焚の終了時点（図２において符号ｔｙ’で示す）のみならず、自動運転モードでの追焚終了時点（図２において符号ｔｘ’示す）、沸き上がり時点ｔ０での湯温センサ２６による検出湯温をも用いるのが好ましい。
【００５１】
追焚制限の第５実施形態（入浴体積に応じた追焚許可条件の設定）
人が浴槽６に入った時（入浴時）には、浴槽６の湯と人との間で熱交換が生じる。また、入浴者は肺呼吸により湯から受け取った熱の一部を放熱する。その結果、浴槽湯温は徐々に低下する。
大人は体積が大きいため、上記熱交換量、放熱量が大きく、子供の場合、大人より体温が高く体積が小さいので、上記熱交換量、放熱量が小さく、上記浴槽湯温は大人の場合ほど低下しない。
例えば、体重３５Kg入浴体積３２リットル以下の場合（子供の場合）には、低温やけどのリスクが高まる時間も大人の糖尿病患者に対して約７割と短いが、核心温度の上昇から入浴継続が不可能であると感じる時間もまた約７割と短い。
最近、浴槽６の中間高さに段差があり、満水状態でもこの段差に腰かけて半身浴ができる浴槽が開発されている。このような浴槽で半身浴をする場合、または足湯をする場合には、上記熱交換量、放熱量が小さく、浴槽湯温の低下が比較的小さい。
【００５２】
上記の観点から、本実施形態では、追焚許可条件は入浴体積が小さいほど厳しくなるように設定されている。以下、追焚許可条件の基本態様に分けて説明する。
（１）第１実施形態と同様に、追焚許可条件として所定時間（例えば１０分）間隔毎の追焚可能回数を設定している場合には、入浴体積が小さいほど追焚可能回数が少なくなるように設定する。
設定温度または追焚終了時点の浴槽湯温に応じて追焚回数を設定する場合には、体積３２リットル以上で第３，４実施形態と同様に設定し、３２リットル未満では下記のように設定する。
設定温度または追焚終了時点の浴槽湯温が４２℃ならば１回
４３℃ならば１回
４４℃以上ならば０回
（２）第２実施形態と同様に、追焚許可条件として前回の追焚終了時点からの経過時間の下限を設定している場合には、入浴体積が小さいほど上記下限の時間が短くなるように設定する。例えば、体積３２リットル以上の場合には下限時間を１０分にし、体積３２リットル未満（子供や半身浴、足湯）の場合には７分に設定する。
【００５３】
演算制御部５１は、上記のように入浴有りと判断した時に、水位の変化量から体積を演算する。具体的には、対象となる浴槽６の水位と貯水量との関係を予めメモリに記憶しておき、このデータと水位の変化量から、入浴者の体積（正確に述べると、湯につかっている部分の体積、すなわち入浴体積）を演算する。さらに演算制御部５１は、上記演算した入浴体積に応じて追焚許可条件を満足するか否かを判断する。
【００５４】
追焚制限の第６実施形態（外気温に応じた追焚許可条件の設定）
夏に入浴する場合と冬に入浴する場合とでは、入浴者の体温（核心温度は同じだが皮膚温）が大きく異なる結果、浴槽湯温の下がり具合が異なる。また、入浴者は肺呼吸により湯から受け取った熱の一部を放熱する。夏場の浴室温度は高く、冬場の浴室温度は低い場合が多い。従って肺に入る温度が低いほど（浴槽湯温との温度差が大きいほど）肺での外気との熱交換によって冷却効果が大きい。従って真皮到達蓄熱量は、肺で行われる熱交換量を勘案しなければならない。そこで、外気温（環境温度）が高いほど追焚許可条件を厳しくする。以下、追焚許可条件の基本態様に分けて説明する。
（１）第１実施形態と同様に、追焚許可条件として所定時間（例えば１０分）間隔毎の追焚可能回数を設定している場合には、外気温が高いほど追焚可能回数が少なくなるように設定する。
（２）第２実施形態と同様に、追焚許可条件として前回の追焚終了時点からの経過時間の下限を設定している場合には、外気温が高いほど下限時間が短くなるように設定する。
【００５５】
演算制御部５１は、外気温センサ（環境温度センサ）で検出される外気温に応じて、追焚許可条件を満足するか否かを判断する。なお、外気温センサとしては、給湯装置（風呂装置）が設置してある場所に設けた凍結防止用の外気温サーミスタを用いてもよい。
【００５６】
追焚制限の第７実施形態（入浴状況に応じた追焚許可条件の設定・その１）
入浴時にじっとしている場合には、体表面から湯にかけて温度勾配が生じる。すなわち、浴槽湯温より低い温度の湯が体表面に接する。これに対して入浴中に体を激しく動かすと温度勾配は生じず常に新しい湯が体表面に接する。そのため、前者に比べて後者の場合の方が真皮到達熱量が多くなる。
そこで、浴槽水位の変動が大きいほど追焚許可条件を厳しくする。以下、追焚許可条件の基本態様に分けて説明する。
（１）第１実施形態と同様に、追焚許可条件として所定時間（例えば１０分）間隔毎の追焚可能回数を設定している場合には、浴槽水位の変動が大きいほど追焚可能回数が少なくなるように設定する。
（２）第２実施形態と同様に、追焚許可条件として前回の追焚終了時点からの経過時間の下限を設定している場合には、浴槽水位の変動が大きいほど下限の時間が短くなるように設定する。
【００５７】
演算制御部５１は、水位センサ３３の検出水位を監視し、浴槽水位の変動量に応じて、追焚許可条件を満足するか否かを判断する。
【００５８】
追焚制限の第８実施形態（入浴状況に応じた追焚許可条件の設定・その２）
浴槽６にジャグジー部や白濁（マイクロバルブ）を発生させるマイクロバルブ発生部（いずれも周知であるので図示せず）を設置した風呂装置の場合には、ジャグジー運転や白濁運転がある場合には、真皮到達熱量が多くなる。そこで、追焚許可条件はジャグジー運転や白濁運転がある場合には、運転無しの場合より厳しくする。以下、追焚許可条件の基本態様に分けて説明する。
（１）第１実施形態と同様に、追焚許可条件として所定時間（例えば１０分）間隔毎の追焚可能回数を設定している場合には、上記運転有りの時には、運転無しの時より追焚可能回数が少なくなるように設定する。
（２）第２実施形態と同様に、追焚許可条件として前回の追焚終了時点からの経過時間の下限を設定している場合には、上記運転有りの時には運転無しの時より下限の時間が短くなるように設定する。
【００５９】
演算制御部５１は、浴室リモコン６０からのこれらジャグジー運転や白濁運転の信号を受けて、追焚許可条件を満足するか否かを判断する。
【００６０】
追焚制限の第９実施形態（入浴状況に応じた追焚許可条件の設定・その３）
さら湯に入浴すると発汗量が多いことは知られている。発汗すると、真皮に到達した熱量を放出することができる。これに対して、入浴剤を入れたり、２番目以降の入浴または前日の残り湯を用いる場合には、イオン量、炭酸等が多くなり、入浴時の発汗量が減少し、熱量の放出量が減少する。
そこで、本実施形態の追焚許可条件は、導電度が大きいほど（電気抵抗が小さいほど）厳しくなるように設定する。以下、追焚許可条件の基本態様に分けて説明する。
（１）第１実施形態と同様に、追焚許可条件として所定時間（例えば１０分）間隔毎の追焚可能回数を設定している場合には、導電度が大きいほど追焚可能回数が少なくなるように設定する。
（２）第２実施形態と同様に、追焚許可条件として前回の追焚終了時点からの経過時間の下限を設定している場合には、導電度が大きいほど下限の時間が短くなるように設定する。
【００６１】
演算制御部５１は、追焚循環回路２０に設けられた導電度センサからの導電度情報に応じて、追焚許可条件を満足するか否かを判断する。
【００６２】
追焚制限の第１０実施形態（追焚制限に伴う報知）
上述した全ての実施形態において、追焚スイッチ６２のオンにも拘わらず追焚を実行しなかった時には、リモコン６０，７０の音声報知部６６，６７を作動させる等により、報知を行なう。この音声報知は、現在の浴槽湯温（具体的には前回の追焚終了時点の浴槽湯温）の報知、低温やけどのリスクがある旨の報知を含む。さらに報知の態様として、管理人室やナースセンター等へのコール信号送信を含む。
【００６３】
本発明は上記実施形態に制約されず、さらに種々の態様が可能である。記述した多くの実施形態は、特に支障がなければ適宜組み合わせることもできる。
上記実施形態では風呂装置と給湯装置がガスバーナと熱交換器を共有しているが、これら構成をそれぞれ別個に装備してもよい。
給湯回路を備えず追焚循環回路だけを備えた風呂装置にも適用できる。
自動運転モードを実行しない風呂装置にも適用できる。
水位センサを備えていない風呂装置にも適用できる。
追焚は、貯湯槽に蓄えられた高温の湯中から熱をもらうことで行うものであっても良い。
【００６４】
第６実施形態では外気温に応じて追焚許可条件を設定したが、これと同様に、浴室温度（環境温度）が高いほど厳しくなるように追焚許可条件を設定にしても良い。入浴時において、皮膚内部に到達し蓄積された熱量の肺呼吸による放出効果は、浴室温度（吸い込む空気温度）が低いほど大きく、浴室温度が高いほど小さいからである。演算制御部に浴室温度情報を送る浴室温度センサ（環境温度センサ）として、浴室暖房乾燥機に設置されているサーミスタでもよいし、浴室リモコンに付けられたサーミスタでもよい。また、浴室に持って入ったスマホから浴室温度情報を送ってもよい。
【００６５】
上記実施形態は主に糖尿病患者を念頭においた制御であるが、糖尿病患者は正常者に比べて、皮膚が薄いため熱が真皮層に到達しやすく、また、血行が悪く冷えを感じやすく、真皮層に蓄積されつつある熱を血流によって他の部位に移送する機能も低い。このことは、高齢者、抹消血管障害者、閉塞性血栓血管炎（ビュルガー病、バージャー病）患者、感覚神経障害者（ギラン・バレー症候群等）にも適用される。
【符号の説明】
【００６６】
Ａ  風呂装置
Ｂ  給湯装置
２  熱交換部（加熱部）
６  浴槽
２０  追焚循環回路
２４  ポンプ
２６  湯温センサ
３３  水位センサ
５１  演算制御部
５２  メモリ
５３  タイマ
６１  自動運転スイッチ
６２  追焚スイッチ
６６、７６  音声報知部（報知手段）
【図１】
0006591816.tif 000002
【図２】
0006591816.tif 000003
【図３】
0006591816.tif 000004